(57)【要約】　　　（修正有）【課題】チャイルドシートや、エアバッグ等のハイテク機能を搭載していても、尚、防げない事故もあり、交通弱者を守る目的で、そのような場合の駄目押しの一手として、携帯出来る軽便な安全グッズとして提供する。【解決手段】ネットガード・ベルト又、ネットガード付きベストにおいて、ネットガード・ベルト（負ぶい紐とか負ぶいっこ）本体を強力にし此の伸縮性の無い本体・裏地を、一周り広めのネットの表地で被い固定縫合する。いずれも前抱きとする。ネットガード付きベストの袋状ネットガードにおいては、ベスト前身頃にネットガードの収納部ポケットを設ける。取り出した袋状ネットガードに嬰・乳児を収容、備え付けのカラビナ等留め具でベストに縫合した所定のカラビナ通し孔にセットする。【選択図】図２
0003099929.tif 000002
【実用新案登録請求の範囲】
【請求項１】
天然素材の綿布・絹布。麻・皮革、合成繊維等適所に用いた、（Ａ）ネットガード・ベルトにおいて、ネット（７、９）及びベルト（１）腰ベルト（４）その他、止め具等をを基材とし、これらの縫合・連結からなるネットガード・ベルトに関するものである。ネット（７、９）においては、伸縮度が少なく弾性の強いゴム混繊維等、将来的には形状記憶合金を用いることも可能な編み目が縦・横２センチ最大伸張度４センチのネット表地。表地のそれより伸張度の少ないネット裏地（７）ネット裏地（７）の上部ネット開口部は、ネット表地（９）より１０センチ下げた縫合仕様とする。ネット裏地（７）には足通し孔（８）を設けた（１、４、７、８、９）の連結した縫製、以上の構成からなるネットガード・ベルト。
【請求項２】
乗車時、嬰・乳児を人が抱いて、座している形態
【図４】となり、その為に、該ネットガードのネットにおいては稍、横に長い袋状ネット（６）ネット上部の開口部は、衝撃を受けた際の嬰・乳児の飛び出しを防ぐために鈎ホック付きの、面ファスナー（２）表裏の異なった素材、ネット裏地（７）には伸縮性の少ない素材を用い、両足位部に足通しの孔（８）を設ける。ネット表地（９）においては、請求項１と同じ、伸張時４センチ限度の編み目のネットを用い、ネット裏地（７）を上回る広さで、嬰・乳児を包む形態の（２、６、７、８、９）の構成からなる請求項１記載のネットガード・ベルト又、ネットガード付きベストの袋状ネット（６）
【請求項３】
ベスト（１０）又は、ネットの縁取り、ネットの支え布、ネットの収納部等も総て、角をとった滑らかな裁断・縫製とし、ベスト（１０）の肩部、腕周り、前・後身頃を厚地に強化し、前身頃両サイドに縦長に留め具（１２）付きネット収納部（１３）を、ネットは不使用時、折りたたみ収納。ネットの取り付け方法は（１３）収納部奥部に確実に、堅牢に縫合。更に、シートベルトを装着する際の肩部に、車体シート・ベルトすべり止め（１１）を施した請求項（２）（２，６、７、８）及び（９、１２、１３）以上の組み合わせ、構成からなる請求項１及び２記載のネットガード・ベルト又、ネットガード付きベスト。
【考案の詳細な説明】
【０００１】
【考案の属する技術分野】
本考案は、乗車時に、交通事故から嬰・乳児を守るためのネットガードに係わるものであり、詳しくはネットガードを用いたベルトと、ネットガードとベストを一体に縫製・連結したことに関するものである。
【０００２】
【従来の技術】
従来、この種の装置等は、最近法律で義務化された関係で、未開発のものが、多かった。又、チャイルドシートにおいても、直ぐに大きくなるからと言って身長より稍大き目のものを買い求める等と聞きます。マニュアルに沿って取り付けても緩い締め付けだったり、又、自社メーカー製品以外のチャイルドシートは取り付け方が解らない等、未だ試行錯誤を繰り返している。高価過ぎるとの声も挙がっている。
【０００３】
【考案が解決しようとする課題】
旅行先等での急な、車移動の際、チャイルドシートの用意が間に合わないこともあったり、又、チャイルドシートを例え、着用していても、衝突は、大抵、後ろからの追突が多いのであるが、何時、どの方向から、どの程度の衝撃を受けるか全く予知できないのである。近県で、つい最近、チャイルドシート着用にも係わらず、３ヶ月の嬰児が衝突のショックで、運転席と助手席の間に飛び出して亡くなられたそうです。痛ましい事故です。身体の小さな嬰・乳児は一寸したすき間からでも衝撃の度合いによっては、飛び出し等、このような惨事をもたらすことになるのである。
【０００４】
車種によっては、チャイルドシートが取り付け難いものや、形やサイズが合わなかったり又、マニュアルに沿ってとりつけても、ボルト・ナットの締め具合が緩すぎだったり、他社製品の車やチャイルドシートは取り付け方が解らなかったりと、遂、先刻着用義務が、始まったばかりの現在は、試行錯誤の模索中であると思われる。しかし、一つ間違えば貴い人命に関わる問題である。交通事故は、全く無防備な状態にある乗車時でも、何時、どこで、どの方向から起こるかわからないという問題点を有している。
【０００５】
【課題を解決するための手段】
本考案は、このような悲惨な事故を未然に防ぐため（昔風の負ぶいこ）に一工夫を加えたもの又、ネットガードをベストに装着したもので、着用や、携帯が容易ある。本考案は、従来の技術の有するこのような問題点に鑑みてなされたものであり、その目的は交通弱者である特に、嬰・乳児をネットによりガードすることにある。
【０００６】
【考案の実施の形態】
考案の実施の形態について図面を参照して説明する。
図１〜図４において、図１（Ａ）はネットガード・ベルトに関するものでシートベルト素材又は、天然素材・合成樹脂等により、ネット１０、ネット７・９腰ベルト４その他、面ファスナー２、留め具１２、止め具１１、各種金属等を組み合わせ連結・縫合したネットガード・ベルト
【０００７】
昔式には（負ぶいこ）と言って随分親しんだ生活必需品であった。車社会になって、又、少子化で余り需要がなくなったものと思えるが、どうしてあの様な便利なものがと、思ってしまいます。両手が空いていて、いざと言うとき、反射的に子供と自らの身体を庇うことができる利点があります。
【０００８】
図１〜図４において、図２Ｂはネットガード・ベストのベストのベースの形態を表す図である。両サイドのポケットは片方を通常のポケットとし、片方に該ネットガードのネットを折り畳んで収納する部分である。ネット７、９は嬰・乳児を中に収容するため稍、横長の袋状の形態を有する。ネット表地９には、将来的には形状記憶合金を部分的に配し、空間を広くしネット編み目の緊縛感を柔らげる。ベースのベスト１０と袋状ネット６を連結・縫合した（一例として
【図３】参照）ものである。
【０００９】
【考案の効果】
チャイルドシートや、エアバッグ等のハイテク機能を搭載していても、尚、防げない事故もあり、本考案は、交通弱者を守る目的で、そのような場合の駄目押しの一手として、携帯出来る軽便な安全グッズとして提供するものである。
【図面の簡単な説明】
【図１】Ａ　ネットガードを縫合してなる要部正面図である。
【図２】Ｂ　ネットガードをベルトに縫合した正面図である。
【図３】Ｂ　ネットガード付きベスト要部説明の正面図。
【図４】Ｂ　ネットガード付きベストの使用状態を示す参考図である。
【符号の説明】
Ａ　ネットガード・ベルト
１　ベルト
２　面ファスナー
３　収納部
４　腰ベルト
５　車体シートベルト
６　袋状ネット
７　ネット裏地
８　足通し孔
９　ネット表地
Ｂ　ネットガード付きベスト
１０　ベスト
１１　止め具
１２　留め具
１３　ネット収納部
１３　ネット収納部奥部
【図１】
0003099929.tif 000003
【図２】
0003099929.tif 000004
【図３】
0003099929.tif 000005
【図４】
0003099929.tif 000006
【手続補正書】
【提出日】平成12年9月25日(2000.9.25)
【手続補正２】
【補正対象書類名】明細書
【補正対象項目名】全文
【補正方法】変更
【補正の内容】
【実用新案登録請求の範囲】
【請求項１】天然素材の綿・絹・麻・毛・皮革・ゴム、合成樹脂・繊維等を適材適所に用いることで形成される（Ａ）ネットガード・ベルトにおいて、（９）表面「前面から底面までは無伸張布のネットガード裏地が裏打ちとなるよう二枚に縫合固定」のネットガード表地（７）無伸張布のネットガード裏地「乳・幼児を抱く人との接蝕側面部はネットの無い部分とする」（１）ベルト（４）調節ベルト（３）ネットガードによるマチ。（８）足通し孔。尚、本考案図中の文字入り、チャイルドシート・マークは平成１２年５月１７日商標登録願申請のものである。これを基本とし、これらの連結・縫合からなる構成とする。尚、（９）袋状ネットガード本体、上部開口部においては、無伸張布により（６）袋状ネット（７）無伸張布ネットガード裏地の上部開口部より８ｃｍ上位置に縫合仕様とする。本件に用いるネットガードの、衝撃による瞬間伸張度は１０ｃｍとしたネットガード・ベルト又、ネットガード付きベスト。
【請求項２】【図２】（Ｂ）ネットガード付きベストにおいて、乗車の際、乳・幼児を横抱き、立て抱き可能な形態【図４】とするため、本件（８）足通し孔。ネットガード片面又は両面に止め具用として、（２）カラビナ等通し孔部、ベスト本体のポケット上下「ネットガード収納部」２箇所にも（２）カラビナ等通し孔部を設けた横に広い（６）袋状ネットガードの無伸張布の（Ｂ）ネットガード。（７）ネットガード裏地。その袋状の底面から表面「前面」を被うネットによる（９）ネットガード表地。請求項１記載の（７）無伸張布ネットガード裏地と同様（１２）ネットガード表地・上部開口部を高く、８ｃｍ上位置に縫合、又、（１２）ネットガード表地上部開口部縁取りは、無伸張布により縫製。鈎止め具・カラビナ等通し孔部、カラビナ等以上の組み合わせと構成からなる請求項１記載のネットガード・ベルト又、ネットガード付きベスト。
【請求項３】【図３】請求項２記載のベストに付随した袋状ネットガードを切り離して、単独の（Ｃ）（５）「袋状ネットガード単体」としたものである。本考案の使用目的は、車にチャイルドシートが設置して無い場合の応急措置として、急に乳・幼児同伴で、乗車した場合等に用いるものである。この場合、一番重要で厳守しなければならないのは、車体シートベルト着用・袋状ネットガードに備え付けたカラビナ等を、肩越しの車体シートベルト、下は、腰部の車体シートベルトにカラビナその他の留め具を確実にセット、他、四個或いは、数個のカラビナを用意して、乳・幼児を抱いた人のズボンやドレスのベルトに、補助・足ベルト、車のノブや、シートのリクライニング部の僅かな隙間にもカラビナその他の取り付け金具を引っかけ、乳・幼児を衝突時に起こりやすい瞬間的、飛び出し等を防止するためのネットガードとするものです。これには、抱いている保護者にシートベルトの着用義務を守ってもらうことを前提としたものである。操作が臨機応変に、簡単にでき携帯が容易な（５）袋状ネットガード単体の請求項１及び請求項２記載のネットガード・ベルト又、ネットガード付きベスト。
【請求項４】（Ｂ）ネットガード付きベストにおいて、局所的に【図２】【図３】力布を裏打ちし、縦・横・斜め共に強化した（１０）ベスト本体に、請求項２記載の袋状の乳・幼児収容ネットガードを不使用時、折り畳んで収納するための縦長のポケットを設置、袋状ネットガードの左右どちらかの一端をポケットの（１３）収納部奥部に固定縫合。更に、ベストの肩・脇に（１１）車体シートベルト滑り止め具、もう片方のポケットにカラビナや外出時用のオムツ等収納可能な、請求項２記載の袋状ネットガードを併用してなる請求項１及び請求項２記載のネットガードベルト又、ネットガード付きベスト。
【考案の詳細な説明】
【０００１】
【考案の属する技術分野】
本考案は、乗車時に、追突等による飛び出し事故から乳・幼児を守るためのネットガードに係わるものであり、詳しくはネットガードを用いた（Ａ）ベルト「負ぶいこ」と、ネットガードとベストを一体に縫製・連結したことで、簡易な携帯用チャイルドシートともなるものである。
【０００２】
【従来の技術】
従来、この種の装置等は、最近法律で義務化された関係で、まだまだ未開発のものが多い。又、チャイルドシートにおいても、直ぐに大きくなるからと言って身長より稍大き目のものを買い求める等と聞きます。マニュアルに沿って取り付けても緩い締め付けだったり、又、自社メーカー製品以外のチャイルドシートは取り付け方法が解らない等、未だ不馴れなことも多いようである。高価過ぎるとの声も挙がっている。
【０００３】
【考案が解決しようとする課題】
旅行先等での急な、車移動の際、チャイルドシートの用意が間に合わないこともあったり、又、チャイルドシートを例え、着用していても、衝突は、大抵、後ろからの追突が多いのであるが、何時、どの方向から、どの程度の衝撃を受けるか全く予知できないのである。近県で、つい最近、チャイルドシートを着用していたにも係わらず、３ヶ月の乳児が衝突のショックで、運転席と助手席の間に飛び出して亡くなられたと報道された。痛ましい事故です。身体の小さな乳・幼児は一寸したすき間からでも衝撃の度合いによっては、飛び出す等、このような惨事をもたらすことになるのである。
【０００４】
車種によっては、チャイルドシートが取り付け難いものや、形やサイズが合わなかったり又、マニュアルに沿ってとりつけても、ボルト・ナットの締め具合が緩すぎだったり、他社製品の車やチャイルドシートは取り付け方法が解らなかったりと、着用義務が、始まったばかりの現在は、試行錯誤の最中であると思われる。しかし、一つ間違えば貴い人命に関わる問題である。交通事故は、全く無防備な状態にある乗車時でも、何時、どこで、どの方向から起こるかわからないという問題点を有している。
【０００５】
【課題を解決するための手段】
本考案は、このような悲惨な事故を未然に防ぐため（Ａ）ネットガード・ベルト（昔風の負ぶいこ）を工夫したもの又、ネットガードをベストに装着したもの
で、着用や、携帯が容易ある。又、【請求項３】（５）「袋状ネットガード単体」本考案は、従来の技術の有するこのような問題点に鑑みてなされたものであり、その目的は交通弱者である特に、乳・幼児をネットによりガードすることにある。
【０００６】
【考案の実施の形態】
考案の実施の形態について図面を参照して説明する。
図１〜図４において、図１（Ａ）はネットガード・ベルトに関するものでシートベルト素材又は、天然素材・合成樹脂等により（９）袋状ネットガード本体（７）ネット裏地（４）調節ベルト（１１）車体シートベルト滑り止め具（１２）ネットガード表地開口部（１１）、各種金属等を組み合わせ連結・縫合したネットガード・ベルト。
【０００７】
昔式には（負ぶいこ）と言って随分親しんだ生活必需品であった。車社会になって、又、少子化で余り需要がなくなったものと思えるが、どうしてあの様な便利なものがと、思ってしまいます。両手が空いていて、いざと言うとき、反射的に子供と自らの身体を庇うことができる利点があります。
【０００８】
図１〜図４において、図２（Ｂ）はネットガード・ベストのベストのベースの形態を表す図である。両サイドのポケットは片方を通常のポケットとし、片方に該ネットガードのネットを折り畳んで収納する部分である。（７）ネット（９）は乳・幼児を中に収容するため縦抱き、横抱きに対応する袋状の形態を有する。（９）袋状ネットガード本体、ネット表地には、将来的には形状記憶合金を部分的に配し、空間を広くしネット編み目の緊縛感を柔らげる。力布を裏打ちしたベースの（１０）ベストと（６）袋状ネットを連結・縫合した（一例として【図３】参照）ものである。
【０００９】
【考案の効果】
チャイルドシートや、エアバッグ等のハイテク機能を搭載していても、尚、防げない事故もあり、本考案は、交通弱者を守る目的で、そのような場合の駄目押しの一手として、携帯出来る軽便な安全グッズとして提供するものである。
【図面の簡単な説明】
【図１】Ａ　ネットガードを縫合してなる要部正面図である。
【図２】Ｂ　ネットガードをベストに縫合した正面図である。
【図３】Ｂ　ネットガード付きベスト要部説明の正面図。
【図４】Ｂ　ネットガード付きベストの使用状態を示す参考図である。
【符号の説明】
ネットガード・ベルト
１　ベルト
２　カラビナ通し孔部
３　ネットによるマチ
４　調節ベルト
５　袋状ネットガード
６　袋状ネット
７　無伸張布ネット裏地
８　足通し孔
９　袋状ネットガード本体
ネットガード付きベスト
１０　ベスト本体
１１　車体シートベルト滑り止め
１２　ネットガード表地開口部
１３　ネットガード本体収納部（カラビナ等収納部）


【手続補正２】
【補正対象書類名】図面
【補正対象項目名】全図
【補正方法】変更
【補正の内容】
【図１】
0003099929.tif 000007
【図２】
0003099929.tif 000008
【図３】
0003099929.tif 000009
【図４】
0003099929.tif 000010
【手続補正書】
【提出日】平成13年1月17日(2001.1.17)
【手続補正１】
【補正対象書類名】明細書
【補正対象項目名】全文
【補正方法】変更
【補正の内容】
【実用新案登録請求の範囲】
【請求項１】ネットガードベルト又、ネットガード付きベストにおいては、日本で古来から多く用いられてきた「負ぶいっこ」に類するもので、本件考案は前抱き用で、足通し部に足通し孔を設けた「前抱き収納帯」に関するものである。
（１）「前抱き収納帯」布製の本体の前面を、容易に伸度の劣化を来さない、明るい色調で、弾性・伸縮度の少ないネット（概ね、織製になるもの）を用いて被覆。（２）ネットは、布製本体のマチ、前面上部の空間を約１０センチメートル布製本体より広く被覆。（３）布製本体及びベルト部分に、田中奈於外２名により商標出願中の「チャイルドシート・マーク」のシールを貼付若しくは、縫着してなる前抱き収納帯・ネットガードベルトで（１・２・３）以上の組合せ、縫合からなるネットガードベルト又、ネットガード付きベスト。
【請求項２】請求項１に加え、ネットガード付きベストにおいて、乳・幼児を「前抱き用」とし、（１）前抱きで、立て抱き足通し用足通し孔部を設ける。（２）横抱き用にも対応するため横に拡く布製本体を袋状に構成。（３）布製本体の前面と前面上部の空間を、容易に伸度の劣化を来さない、明るい色調で、弾性・伸縮度の少ないネットを用いて被覆。（４）皮革・布製等による表地・裏地を強化したベストの、前身頃両端に縦長のポケット。（２）の布製袋状本体を左ポケット内、奥深くに確実に固定縫合。不使用時は折り畳んでポケットへ収納。（５）布製袋状本体の右端・上下にカラビナ等取り付け金具を固定。（６）ベスト本体、左右ポケット蓋の上下に各２箇所にカラビナ等取り付け用孔あき金具をセットする。（１〜６）以上の組合せ、縫合からなる請求項１及び２記載のネットガードベルト又、ネットガード付きベスト。
【請求項３】請求項２記載の、布製袋状本体をベストに付設・縫合せず、（１）単体とした布製袋状本体前面をネットでガード。（２）布製袋状本体の前面上部、約１０センチメートルまでネットで被覆。（３）単体の布製袋状本体の両端上下に各四個又は六個のカラビナ等取り付け金具を固定。不使用時は専用バッグに折り畳んで収納。簡易で携帯可能なチャイルドシートの代用ともなる（１・２・３）以上の組合せ、縫合の構成からなる請求項１及び請求項２記載のネットガードベルト又、ネットガード付きベスト。
【考案の詳細な説明】
【０００１】
【産業上の利用分野】
ネットガードベルト又、ネットガード付きベストにおいて、乗車時の交通事故から、乳・幼児を守ることを目的とする。本考案はチャイルドシートが設置してない場合、二人以上の乳・幼児の乗車に一セットのチャイルドシートしかセットしてない場合等に代用として又、予備として、着脱が簡単で携帯可能又、ネットによって、万一の衝突事故で衝撃によるチャイルドシート等からの乳・幼児の周辺をガード、飛び出しを防止する。
【０００２】
【従来の技術】
従来、チャイルドシートは着用が、義務化される前までは見うけることも、市販されていることも知らず、せいぜい洋画の中で、揺りかご風の入れ物に乳児を寝かせて車に載せようとしているのを見たのを覚えている程度だった。
【０００３】
【考案が解決しょうとする課題】
市販のチャイルドシートにおいては、購入時、子供は直ぐに大きくなるからと、少し大きめサイズを求めたりするという。車体にチャイルドシートを取り付ける際も不馴れなため、不完全であったり、稍、高価だとの声もあがっている。又、例えチャイルドシートを着用していても、不幸にして悲惨な事態を引き起こすこともある。衝突事故はいつ、どの方向からどの程度の衝撃を受けるか全く予知出来ないのである。
【０００４】
乗車に際して、乳・幼児が複数例えば、二人とかの場合は、原則、二台のチャイルドシートがセットしてなければならないので、一人分が不足することになる。急な車移動時にチャイルドシートが間に合わないこともあり得る。又、乳幼児は身体が小さく一寸した隙間からでも衝撃の度合いによっては、車内又は、車外までも飛び出すという惨事をもたらす等の問題点を有している。
【０００５】
【課題を解決するための手段】
本考案は、このような悲惨な交通事故を未然に防ぐため、古来からの乳・幼児を背負う際に用いられた「負ぶいっこ」に工夫を加え前抱き用としたもので、前抱き収納帯のマチ部分、前面上部の空間を請求項１の（１）記載のネットでガードする。
【０００６】
又、乳・幼児を、立て抱き・横抱き用とするため布製本体を袋状に構成。更に、前面上部空間を１０センチメートルまで、強力で容易に伸度劣化を来さない「織製による」ネットでガード。袋状本体の左右・上下、四箇所にカラビナ等取り付け金具を固定設置。使用方法は、此の単体のネットで前面・前面上部を被覆した布製袋状本体に、乳・幼児を収容し、シートに着席したら先ず、車体シートベルトを抱いている保護者が着用、その後、取り付け金具のカラビナ等で、肩越しの、車体シートベルトの肩部・左側下部・右側部上下に或いは、抱いている保護者の腰ベルトに取り付け確認の上、走行を開始する。将来的には、部分的に、形状記憶合金を用いることもあるネットガードベルト又、ネットガード付きベスト。
【０００７】
【実施の形態】
考案の実施の形態について、図面を参照して説明する。図１はネットガードを施した前抱き収納帯。図２は、図３の布製袋状ネットガード本体を折り畳んで、ポケットに収納した状態を表す図。図３は、乗車時使用の際、ポケットから布製袋状本体を取り出した図。図４は、布製袋状本体に乳児を横抱きに収容しての使用状態を表す図２・図３の参考図。
【０００８】
【考案の効果】
最近某社の車の助手席にもエアバッグが設置されるようになった。しかし、ハイテク機能を搭載していても尚、人為的ミス等から防げない事故もある。例えば、車に一人分のチャイルドシートしかない場合、二人以上の乳・幼児が乗車する際チャイルドシートが直ぐに調達できるか等々、そのような時に、本考案があれば、あまり場所もとらず、携帯出来、着脱が容易で、先ずは、保護者がシートベルトを着用していることが前提ではあるが、前抱きのネットガードベルト又は、ネットガード付きベストを用いることで本格的なチャイルドシートと同程度の効果が期待でき、代用となりうると思われる。
【図面の簡単な説明】
【図１】ネットガードを縫合した前抱き用ネットガードベスト
【図２】布製袋状本体をベストのポケットに縫合し、収納した正面図
【図３】布製袋状本体の取り付け主要部の解明図
【図４】布製袋状本体ネットガード付きベストの使用状態を示す参考図
【符号の説明】
１　　ベルト
２　　カラビナ通し孔部
３　　ネットによるマチ
４　　調節ベルト
５　　布製袋状ネットガード本体
６　　布製袋状ネットガード本体背面
７　　立て抱き用足通し孔部
８　　カラビナ等取り付け用金具固定部
９　　車体シートベルト滑り止め
１０　布製袋状ネットガード本体前面上部
１１　布製袋状ネットガード本体収納部
0003099929.tif 000011
0003099929.tif 000012
【手続補正書】
【提出日】平成13年4月30日(2001.4.30)
【手続補正１】
【補正対象書類名】明細書
【補正対象項目名】全文
【補正方法】変更
【補正の内容】
【実用新案登録請求の範囲】
【請求項１】
チャイルドシートに代用するものとして（１）足通し部に、足通し孔を設けた「前抱き収容帯」に関するネットガードベルト又はネットガードベルト付きベストであって、（２）容易に伸縮度に劣化を来さず、やや、伸張度の少ないゴム混繊維によるネットを用いて、（３）布製本体のマチ部分・布製本体の前面全体及び、本体上部を１０センチメートル程度広く被覆したネットガードベルト又はネットガードベスト。
【請求項２】
請求項１記載のネットガードベルト又はネットガード付きベストであって、前抱き用として（４）横に広い布製袋状とし、（１）足通し孔を設け、（２）ネットを用いて前面を（３）同様広く被覆。（５）ベストに縦長のポケットを設け（４）布製袋状本体をベスト端「ポケット」に固定・縫合。不使用時は、布製袋状本体を折りたたんで収納、（１）、（２）、（３）、（４）、（５）、以上の構成からなる請求項１記載のネットガードベルト又はネットガード付きベスト。
【請求項３】
請求項２記載の（４）布製袋状本体を、ベストに付設・縫合せず（６）布製袋状本体の前面・上下・左右を（２）ゴム混繊維によるネットを用いて広く被覆・縫合するもので、上下・左右の数カ所に、布製袋状本体を車体へセットするための取り付け金具或いは、カラビナ等を固定。不使用時は、折りたたんで専用のバッグに収納する。（４）、（６）、以上の組合せ・構成からなる請求項１記載のネットガードベルト又はネットガード付きベスト。
【考案の詳細な説明】
【０００１】
【産業上の利用分野】
ネットガードベルト又はネットガード付きベストにおいて、乗車時の交通事故から乳・幼児を守ることを目的とする。本考案はチャイルドシートが設置されていない場合、又は、二人以上の乳・幼児の乗車に際して、１セットのチャイルドシートしかセットされていないような時等に、応急に代用出来るものとして、携帯が容易であり、着脱自在である。万一の衝突事故で衝撃によるチャイルドシート等からの乳・幼児の周辺をガード、飛び出しを防止する。
【０００２】
【従来の技術】
従来、チャイルドシートは着用が義務化されるまでは、話題にものぼらず、見うけることもなかった。
【０００３】
【考案が解決しょうとする課題】
市販のチャイルドシートにおいては、購入時、子供は直ぐに大きくなるからと、少し大き目サイズを求めたりするという。車体にチャイルドシートを取り付ける際も不馴れだったり、締め付けが不完全だったりと、又、高価だとの声もある。例え、チャイルドシートの着用義務を守っていても衝撃の程度や、又、事故は、何時どこで、どの方向から受けるかわらないのである。
【０００４】
家族で外出等、乳・幼児が複数の場合、原則として二台又は、それ以上のチャイルドシートが必要である。一台しか設置してない場合は、何人分かが不足することになる。急な車での移動時にチャイルドシートが間に合わないこともあり得る。又、乳・幼児は無抵抗で、身体が小さく、一寸した隙間からでも、衝撃の度合いによっては、車内や、車外までも飛び出すという惨事をもたらす等の問題点を有している。
【０００５】
【課題を解決するための手段】
本考案は、この様な悲惨な交通事故を未然に防ぐため、古来からの乳・幼児背負う際に用いられた「負ぶいっこ」に工夫を加え、前抱き用としたもので、前抱き用・布製収納帯にマチ部分、布製本体の前面と前面上部を１０センチメートル程度広く被覆。
【０００６】
又、乳・幼児を、縦抱き・横抱き用とするため本体を布製袋状に構成、更に、布製袋状本体の前面上部を１０センチメートル程度広く被覆。布製袋状本体の左右・上下に、車体へ、セットする際の取り付け金具或いは、カラビナ等を固定設置。使用方法としては、此の前面上部までネットで被覆した布製袋状本体に乳・幼児を収容し、シートに着席後、先ず車体シートベルトを、抱いている保護者が着用。その後取り付け金具カラビナ等で車体シートベルト上部金具に取り付けセット。斜め下も車体シートベルトの金具に取り付けセット。その他、三・四箇所を車体に取り付け装着を完了。乳・幼児と保護者の間にシートベルトを着用しているので、少々強い衝撃にも対応できる。将来的には安全基準適合の、専用の車体取り付け金具の設置等が望まれる。又適所に形状記憶合金等を用いる場合もあるネットガードベルト又はネットガード付きベスト。
【０００７】
【実施の形態】
考案の実施の形態について、図面を参照して説明する。図１はネットガードを施したベルト前抱き収納帯。図２は、図３の布製袋状ネットガード本体を折り畳んで、ポケットに収納した状態を示す図。図４は布製袋状本体に乳児を横抱きに収容しての状態を表す図２・図３の参考図。
【０００８】
【考案の効果】
最近では、車の助手席にもエアバッグが設置されるようになった。しかし、科学の粋を集めたハイテク機能を搭載していても尚、人為的ミスなどから防げない事故も多い。車に一人分しかチャイルドシートがない場合に、複数の幼児の数だけ直ちに、調達出来るか等々。そのような時に、携帯用の本件チャイルドシートが有れば、便利である。限られた乗車人数にチャイルドシートばかり多くても困ることになる。本件は１シートに、つまりは、二人が着席出来ることにもなるのである。あくまでも、乳・幼児を抱いて乗る保護者が車体のシートベルトを着用することが前提である。
【図面の簡単な説明】
【図１】ネットガードを縫合した前抱き用ネットガードベルト
【図２】布製袋状本体をベストのポケットに固定縫合し収納した正面図
【図３】布製袋状本体の取り付け主要部の解明図
【図４】布製袋状本ネットガード付きベストの使用状態を示す参考図
【符号の説明】１　ベルト
２　カラビナ通し孔
３　ネットによるマチ
４　調節ベルト
５　布製袋状ネットガード本体
６　布製袋状ネットガド本体背面
７　立て抱き用足通し孔部
８　カラビナ等取り付け用金具固定部
９　車体シートベルト滑り止め
１０　布製袋状ネットガード本体前面上部


【手続補正２】
【補正対象書類名】図面
【補正対象項目名】全図
【補正方法】変更
【補正の内容】
【図１】
0003099929.tif 000013
【図２】
0003099929.tif 000014
【図３】
0003099929.tif 000015
【図４】
0003099929.tif 000016
【手続補正書】
【提出日】平成13年7月18日(2001.7.18)
【手続補正１】
【補正対象書類名】明細書
【補正対象項目名】実用新案登録請求の範囲
【補正方法】変更
【補正の内容】
【実用新案登録請求の範囲】
【請求項１】
チャイルドシートに代用するものとして携帯可能とした足通し部に（１）足通し孔を設けた前抱き収納帯・ネットガードベルトであって、容易に伸縮度に劣化を来さず、やや、伸張度の少ない（２）ゴム混繊維ネットを用いて、布製本体の（３）マチ部分と布製本体の前面全体及び、布製本体（４）前面上部を１０センチメートル程度、高めに被覆したネットガードベルト。１・２・３以上の組合せ・構成からなるネットガードベルト又はネットガード付きベスト。
【請求項２】
ネットガード付きベストにおいては、前抱き専用として横に広い（５）布製袋状とし、（１）足通し孔を設け、（２）ゴム混繊維ネットを用いて布製袋状本体（４）前面上部を１０センチメートル程度、高めに被覆。ベストに（６）縦長のポケットを設け縫合固定。不使用時は、布製袋状本体を折り畳んで（６）縦長のポケットに収納。又、（８）布製袋状本体個体を、折り畳んで（７）専用バッグに収納。１、２、４、５、６、７、８以上の組合せ・構成からなる請求項１記載のネットガードベルト又はネットガード付きベスト。
【手続補正書】
【提出日】平成13年10月7日(2001.10.7)
【手続補正２】
【補正対象書類名】明細書
【補正対象項目名】実用新案登録請求の範囲
【補正方法】変更
【補正の内容】
【実用新案登録請求の範囲】
【請求項１】
チャイルドシートに代用するものとして携帯可能とした足通し部に（１）足通し孔を設けた前抱き収納帯・ネットガードベルトであって、容易に伸縮度に劣化を来さず、やや、伸張度の少ない（２）ゴム混繊維ネットを用いて、布製本体の（３）マチ部分と布製本体の前面全体及び、布製本体（４）前面上部を１０センチメートル程度、高めに被覆したネットガードベルト。１・２・３・４以上の組合せ・構成からなるネットガードベルト又はネットガード付きベスト。
【請求項２】
ネットガード付きベストのネットガード本体においては、請求項１のネットガード本体とは形態を稍、異にしたものである。前抱き用とし横に広い（５）布製袋状とし、（１）足通し孔を設け、（２）ゴム混繊維ネットを用いた布製袋状本体（３）（「請求項２」の布製袋状ネットガードにおいてはマチ部分を設けない場合もあり）（４）前面上部を１０センチメートル程度、高めに被覆。ベストに（６）縦長のポケットを設け、本考案ネットガードをポケット奥部に縫合固定。不使用時は、布製袋状本体を折り畳んで（６）縦長のポケットに収納する仕様のもの。又、（８）布製袋状本体を、折り畳んで（７）専用バッグに収納・携帯可能とする。１、２、３、４、５、６、７、８以上の組合せ・構成からなる請求項１記載のネットガードベルト又はネットガード付きベスト。
【手続補正書】
【提出日】平成13年12月17日(2001.12.17)
【手続補正１】
【補正対象書類名】明細書
【補正対象項目名】実用新案登録請求の範囲
【補正方法】変更
【補正の内容】
【実用新案登録請求の範囲】
【請求項１】
チャイルドシートに代用するものとして、携帯を可能としたものである。各種材質を用いて、前抱き用収容帯・ネットガード布製本体、及びベルトにより構成。布製本体足位部に（１）足通し孔を設ける。布製本体は（２）強化ゴム混繊維によるネットで布製本体に併せ前面を被覆。布製本体、両脇の（３）マチ部分と（４）前面上部を１０センチメートル高く被覆。１・２・３・４以上の組合せ、構成からなるネットガードベルト又はネットガード付きベスト。
【請求項２】
ネットガード付きベストにおいては、前抱き用収容帯として、横に広い（５）布製袋状とし、（１）足通し孔、（２）強化ゴム混繊維によるネットにより布製袋状本体の（４）前面上部を１０センチメートル高く被覆。ベストに（６）縦長のポケットを設け、布製袋状本体を縫合固定。不使用時は、布製袋状本体を折り畳んで（６）縦長ポケットに収納。又、（８）布製袋状・個体を折り畳んで（７）専用のバッグに収納、携帯可能とした。１・２・「（３）本件布製袋状本体にはマチは有しない。」４・５・６・７・８以上の組合せ、構成からなるネットガード付きベスト。
【手続補正書】
【提出日】平成14年3月30日(2002.3.30)
【手続補正２】
【補正対象書類名】明細書
【補正対象項目名】実用新案登録請求の範囲
【補正方法】変更
【補正の内容】
【実用新案登録請求の範囲】
【請求項１】
乗車時、車体にセットする従来のハードなチャイルドシートに代用するものとして、当該ネットガードベルト（昔からある負ぶいっ子の一種）においては、乳・幼児を収容する布製本体・本体前面上部まで広く被ったネットと共にベルトに縫合。前抱き用として布製本体背面に足通し孔及び、両脇にネットで広く被ったマチを設けた構成からなるもので、乗車時の乳・幼児を、追・衝突による飛び出し事故から保護するため、又、携帯可能なことを特徴とする。
使用法は、乳・幼児を抱いた保護者が、先ず、車体のシートベルトを装着、その後に該ネットガードベルトを確実にセットしてなる。ネッガードベルト又は、ネットガード付きベスト。
【請求項２】
ネットガード付きベストにおいては、チャイルドシートの代用とするもので、請求項１と同じく、保護者が乳・幼児を前抱きで乗車する。横に広い布製の袋状とし、本体前面及び、前面上部まで広くネットで被い布製袋状本体背面下部に足通し孔を設ける。又、布製袋状本体をベストのポケットの一方に固定縫合。不使用時は平たく縦長に折りたたみポケットに収納。乗車使用時は、布製袋状本体を車体のシートベルト他、要所に止め付けるための、カラビナ等・止め金具と併用してなる構成。使用法は、車体シートベルトを保護者が先ず確実に着装。その後、乳・幼児を収容した布製袋状本体を、止め金具（カラビナ等）を以て車体シートベルトにセット。その他ベストの止め金具通し孔へセット。いずれもネットにより乳・幼児を保護する目的の請求項１記載のネットガードベルト又ネットガード付きベスト。
【手続補正書】
【提出日】平成14年6月11日(2002.6.11)
【手続補正１】
【補正対象書類名】明細書
【補正対象項目名】実用新案登録請求の範囲
【補正方法】変更
【補正の内容】
【実用新案登録請求の範囲】
【請求項１】
本考案、ネットガードベルト又、ネットガード付きベストにおいては、通常よくある例として　▲１▼家族連れでマイカーを駆って小旅行の際等、チャイルドシートを載せると皆が乗れないこともある。　▲２▼車体にチャイルドシートが取り付け難い構造の場合。　▲３▼乳・幼児同伴でタクシーに乗車する際、タクシーにはチャイルドシート設置の義務はない。仮定として、或るタクシー会社がサービスとして、チャイルドシートの設置をしたとしても、必ずしも、乳・幼児の身体のサイズに合ったものを又、複数揃えてあることは先ず無いというのが現状であり実現は無理である。　▲４▼運転中や乗車時は、何時、何処で、どの方角から、どのような衝撃をうけるか解らない。頻繁に起こる交通事故から自らを又、腕に抱いている乳・幼児は特に保護者が守ってあげなくてはならない。然し、乳・幼児はどんな小さな隙間からでも、衝撃により飛び出すことがある。特に、　▲５▼乳・幼児は、瞬間的な衝撃に対し全く無防備・無力である。本考案は、構成の根本であるネットを適所に用いることで、その小さな隙間からの衝撃による乳・幼児の飛び出し防止を目的とするものである。　▲６▼保護者とネットガードベルトの間に車体付きのシトベルトを必ず着用することを前提とする。　▲７▼ネットガードベルトにおいては、従来の前抱き専用の「だこっこ」こと　▲８▼足通し孔付き等、▲９▼本体の形状はほぼ同じくするが、該　▲１０▼ネットガードベルト又、ネットガード付きベストの　▲７▼ネットガードベルトにおいては、本体に付随した乳・幼児の　▲１１▼頭・首を支える厚板の高さの、更に　▲１２▼上部まで、請求項１及び請求項２、本考案構成の根本とする▲１３▼ネットで被う。ネットは強化縁付きとし、ベルト、▲１４▼止め金具・止め金具通し孔による仕様とする。着用方法としては、▲７▼ネットガードベルトを着用して乗車の際は、保護者は先ず、必ず車体の▲１５▼シートベルト着用を前提とする。その後、▲７▼乳・幼児を収容したネットガードベルトを装着する。本格的チャイルドシートの代用として軽便で、携帯又、乗車時以外にも使用出来、そのまま安心してタクシーにも乗車可能とした▲７▼▲８▼▲９▼▲１０▼▲１１▼▲１２▼▲１３▼▲１４▼▲１５▼▲１６▼以上の組合せ・構成からなるネットガードベルト又、ネットガード付きベスト。
【請求項２】
請求項１とは、その形態をやや異にしたもので、▲１７▼６歳未満の乳・幼児同伴で乗車の際、特に▲１８▼縦抱きの出来ない乳児にも対応する▲１９▼横抱き用とするため横に広い袋状とし、▲８▼足通し孔を開け、乳・幼児を収容する本体を▲２０▼布製袋状本体（以下袋状本体）とし▲２１▼袋状本体前面の上部まで、広く強化縁付きネットで被い固定縫合。本考案、強化縁付きネットでガードした袋状本体を携帯用とするため▲２２▼上衣又は、ベストの脇線上に縦長のポケットを縫製、袋状本体の一方を、ポケットの奥に縦長に固定縫合。▲２３▼袋状本体のもう一方の上下に取り付金具（カラビナ等）を、ポケットの上下には、▲２４▼取り付金具（カラビナ等）のセット孔を開ける仕様としたことを特徴とする。着用方法は、本考案、袋状本体に乳・幼児を収容、抱いて乗車の際は、保護者は先ず必ず車体の▲１５▼シートベルト着用を前提とする。保護者と乳・幼児を収容した袋状本体の間に車体シートベルトを通す形とする。請求項１及び請求項２の本考案、構成の根本であるネット・強化縁付きネットを用いたものであり、市販の、本格的なチャイルドシートの代用として、軽便で、又、乗車時以外でも常用出来、そのまま安心してタクシーにも乗車可能とした　▲１７▼　▲１８▼▲１９▼　▲２０▼　▲２１▼　▲２２▼　▲２３▼　▲２４▼　以上の組合せ・構成からなるネットガードベルト又、ネットガード付きベスト。
【手続補正書】
【提出日】平成14年8月26日(2002.8.26)
【手続補正１】
【補正対象書類名】明細書
【補正対象項目名】実用新案登録請求の範囲
【補正方法】変更
【補正の内容】
【実用新案登録請求の範囲】
【請求項１】
（Ａ）ネットガードベルトにおいては、チャイルドシートに代用するものとしての考案である。天然素材の綿・絹・麻・ゴム、皮革、又、合成繊維・合成樹脂により本体及びベルト・腰ベルト、ガード用のネット・ネットの縁取り。金属製留め金具等の部品を適所に用いる。乗車時、乳・幼児の前抱き用収容体「本考案では、ネットガードベルトと呼称」に関するものです。将来的には、乳・幼児のネットガードベルトからの脱・着を容易にするため形状記憶合金を用いることも有り。本考案の使用法は、乗車時、乳・幼児と抱いている保護者の間に先ず、必ず車体取り付けのシートベルトを確実に着用することを前提として成り立つものです。
又、　従来の乳・幼児を前後に負ぶい抱ける、足通し孔付き通称「おぶいっこ」又は「だっこっこ」と形態はほぼ同じくするものの、本考案は更に乳・幼児を収容する本体の布製前面の上部及びまち部分の上部を１０センチメートルまでネット地により全体を広く被う形でベルトに縫合する。１、４、７、８、９以上の組合せ、構成からなる、乗車時の事故による乳・幼児の飛び出し防止用で、携帯を可能としたネットガードベルト又はネットガード付きベスト。
【請求項２】
（Ａ’）請求項１の（Ａ）ネットガードベルトと同質の素材を用いる。乗車時、乳・幼児特に嬰児を対象とした横抱き用として、横に長い袋状収容体「本考案では、請求項２を袋状ネットガードベルトと呼称」に関するものです。将来的には、本体開口部に安全性を考慮した形状記憶合金を用いることもあり、乳・幼児特に嬰児を収容本体（Ａ’）「袋状ネットガードベルト」への脱・着を容易にするものとする。又、経年的に乳・幼児、嬰児の個体の成長に伴い立て抱き用とするため足通し孔を設置。本考案の主旨であり特徴でもあるネットにて、袋状ネットガードベルトの本体前面を全体に広く被い、本体前面内側の布製収容本体より前面上部１５センチメートルまで伸ばし縫合。ネットの縁取りはやや伸張度の少ない材質を用いるものとする。又、ネット縁取り部分の左右に鉤ホック付き面ファスナーを縫合、乗車時には、付随の鉤ホック付き面ファスナーをセットすることにより、不意の事故等の衝撃からの乳・幼児・嬰児の開口部からの飛び出しを未然に防止するための補助的防具となる。使用法は、乗車時、乳・幼児又嬰児と抱いている保護者の間に、先ず、必ず車体取り付けシートベルトを確実に着用することを前提として成り立つものです。不使用時は、袋状ネットガードベルトを折りたたんでポケットに整然と収納。図３は、ベストのポケットに固定縫合した袋状ネットガードベルトをネットガード付きベストから取り出した図。使用時は、（Ａ’）袋状ネットガードベルトの８カラビナ等取り付け用金具右を、車体取り付けシートベルト上部に留め付ける。左は、対角線の車体取り付けシートベルト下部にカラビナ等取り付け用金具を留めつける。ベスト・上衣等の専用カラビナ等取り付け用金具は、左肩部分のカラビナ等通し孔金具部へ、留めつけて着装を終了。以上２、６、７、８、９、１１、１３の組合せ構成からなる（Ａ’）ネットガードベルト又はネットガード付きベスト。
【請求項３】
図３に示した請求項２の（Ａ’）袋状ネットガードベルトを縫合したベスト又は上衣から切り離して、一個の独立した商品としバッグ或いは、ケースに収納し、携帯できることを特徴とする。効用として、保護者も車外に出た時には、ＴＰＯに合わせ、自由に服装の選択が出来る。しかし、本考案は乳・幼児、嬰児を単独で袋状ネットガードベルトに収容しそのまま、車の座席に直接、取り付けることは危険極まりなく絶対に不可である。乳・幼児、嬰児と抱いている保護者の間に必ず、車体取り付けシートベルトを着装することを前提とする。これは、請求項１及び請求項２の使用法と全く同じである。請求項３、単独にベスト又は上衣から切り離した袋状ネットガードベルトにおいては、保護者との連結感もやや薄く、その分の補強策として、本体の四隅の留め金具、一箇所は車体取り付けシートベルト上部に留め付け、対角線のもう一方は、車体取り付けシートベルト下部に取り付ける。その他、カラビナ等取り付け用金具・カラビナ等通し孔金具部を二箇所増やすことで安全性が保たれる。又、増設の二箇所の取り付け用として、ベルトを長くし周辺の車体の引っかけ部分に巻き付け、或いは引っかける方法でセットし着装が完了。将来的には、車体にビルトイン方式で（孔開き部分のある）取り付け用金具の設置が望まれるところである。２，６，７，８，９，１２、１３以上の組合せ、構成からなる請求項２記載のネットガードベルト又はネットガード付きベスト。
【手続補正書】
【提出日】平成14年11月24日(2002.11.24)
【手続補正１】
【補正対象書類名】明細書
【補正対象項目名】実用新案登録請求の範囲
【補正方法】変更
【補正の内容】
【実用新案登録請求の範囲】
【請求項１】
乳・幼児用チャイルドシートを携帯可能、且つ簡便にを目的としたもので、車体シートベルトを保護者が着用して後、用いるものである。天然素材のゴム・絹・綿・麻・合成繊維・合成樹脂・金属等を、本体・ベルト（１）の適所に用いたネットガード・ベルトにおいて、
ａ．容易に劣化を来さないゴム混合成繊維によるネット地（１２）で、将来的には形状記憶合金を用いることも可能な編み目が縦・横２センチ最大伸張度が４センチのネット地（１２）
ｂ．本体・裏地（７）前・後身頃を稍、弾性のある布地を用い、マチ部分（３）及び裏地（７）前身頃・前位置をネット地（１２）で被い、開口部は、裏地（７）前身頃上部のそれよりネット地（１２）を１０センチ上げ、ネット地開口部縁取り（１２）は伸度を抑え強化・ベルトに縫合仕様とし、足通し孔（８）を設けた（１・３・４・７・８・１２）の連結した縫製とする。
以上の構成からなるネットガード・ベルト。
【請求項２】
車体シートベルトを着用の後、乳・幼児を保護者が前抱きして乗車するもので、軽便な、チャイルドシートに代わる袋状ネットガード（６）不使用時は折り畳んでポケット（１３）に収納、携帯を可能にしたネットガード・ベストにおいて、ｃ．天然素材・合成繊維・金属等を横長の本体・袋状ネットガード（６）の適所に用いる。厚地ベスト（１０）の両サイドに、縦長収納ポケット（１３）ポケットの外側上部・中部に、カラビナ等止め金具・通し孔（２）下部に足通し孔（８）及び車体シートベルト滑り止め（１１）ポケット内の奥部（１３）に該袋状ネットガード（６）の一方を固定、連結縫合仕様とする。
ｄ．ネット地開口部（１２）は、袋状布製裏地・表地（７）のそれより１０センチ高く被い、ネット地開口部縁取り（１２）は、伸長度を抑え強化縁（１２）とした（２・６・７・８・９・１０・１１・１２・１３）の連結した縫製とする。以上ａ．ｃ．ｄの構成からなるネットガード・ベルト又ネットガード・ベスト。
【手続補正書】
【提出日】平成15年2月28日(2003.2.28)
【手続補正１】
【補正対象書類名】明細書
【補正対象項目名】実用新案登録請求の範囲
【補正方法】変更
【補正の内容】
【実用新案登録請求の範囲】
【請求項１】
ネットガードベルト（通称・抱っこっこ又は負ぶい紐）　乳・幼児用チャイルドシートを携帯可能とし、且つ簡便な着脱を目指したもので乗車の際は、車体シートベルトを保護者が着用して後、用いるものであり、どの方向からの衝撃にも乳・幼児の飛び出し事故を防止することを目的とするもので、容易に劣化・摩耗・変質をきたさない適材を用いる。
ａ．　ネットガードベルト図１（１）において、主体のネットを編み目を縦・横２センチメートル、最大伸張度、４センチメートルのネット地（３）
ｂ．　ネットガードベルト（１）本体裏地を稍、弾性のある布地を用いた襠及びネットガードベルトの裏地・前面を、上部１０センチメートルまでネット地（３）で被い更に、ネット地の開口部は厚地の強化布で縁取り、両端をベルトに縫合・固着、着脱用・調節ベルト（４）を用いて調節、、縦抱き用の足通し孔（７）以上（１・３・４・７）の組合せ構成からなるネットガードベルト。
【請求項２】
ｃ．　乗車時、保護者が車体シートベルト（５）を着用後、乳・幼児を、前抱きして（図１・図２・図・３）用いるもので、袋状ネットガード（６）不使用時は、折りたたんでベスト左右の縦長ポケット布製袋状ネットガード本体（１）収納部（１３）へ収納、携帯を可能とした横・縦抱き両用のネットガードベストにおいて（ａ）容易に劣化・摩耗・変質をきたさない適材を用いた編み目が、縦・横２センチメートル、最大伸張度４センチメートルのネット地（３）でもって、布製袋状裏地による横長本体（７）を包被、開口部前面のみ、ネットガード（６）により、１０センチメートル高く縫合、強化布で開口部を縁取り（１２）縫製を又、足通し孔（８）車体シートベルト通し（９）の滑り止め、更に、ポケット奥部（１３）に縫合した袋状ネットガード（６）のもう一方の、先端の上部・下部の二ヶ所に、乳・幼児を支える強度を有したカラビナ等、接続金具の通し孔（２）ベストのもう一方のポケット（１３）の上部・下部（２）にも同位置に袋状ネットガード（６）を接続するためのカラビナ等、接続金具通し孔（２）を設置。ｄ．　ネットガードベスト本体の、ベストの適所に１・２・３・５・６・８・９・１０・１１・１２・１３の各部品を適所に固着・縫合仕様による（ｂ・ｃ・ｄ）の組合せ構成からなるネットガードベルト又ネットガードベスト。
【手続補正書】
【提出日】平成15年5月24日(2003.5.24)
【手続補正１】
【補正対象書類名】明細書
【補正対象項目名】実用新案登録請求の範囲
【補正方法】変更
【補正の内容】
【実用新案登録請求の範囲】
【請求項１】
綿・絹布・麻・ゴム・皮革・合成樹脂・繊維・金具等容易に劣化・摩耗・変質をきたさない材質を適所に用いた、ネットガードベルトであって、
ａ．ベルト（１）
ｂ．両端をベルト（１）に縫合された、編み目が縦・横２センチメートル、最大伸張度４センチメートルのネット表地（９）
ｃ．ネット表地（９）より伸張度の少ないネット裏地（７）であって、ネット表地（９）よりも１０センチメートル下げて両端をベルトに縫合され、足通し孔（８）が設けらたネット裏地（７）
ｄ．ベルトに縫合された腰ベルト（４）、以上の構成からなるネットガードベルト。
【請求項２】
ネットガードベスト本体（１０）と袋状ネットガード（６）より構成されるネットガードベストであって、
ｅ．伸張度の少ない素材を用い、両足部に足通し孔（８）を設けたネット裏地（７）、ネット裏地（７）を上回る広さであって、容易に劣化・摩耗・変質をきたさない適材を用い、編み目が縦・横２センチメートル、最大伸張度４センチメートルのネット表地（９）により構成される袋状ネットガードであって、ネット表地（９）はネット上部の開口部には、鈎ホック付きの面ファスナー（２）が設けられている袋状ネットガード（６）、
ｆ．肩部・腕周り、前・後身頃を厚地に強化され、前身頃両サイドに留め具（１２）付き袋状ネット収納部（１３）が設置され、肩部に車体シートベルトすべり止め（１１）が施され、前記留め具（１２）の袋状ネットガード（６）を連結可能なネットガードベスト本体（１０）
以上の構成からなる、請求項１記載のネットガードベルト又、ネットガード付きベスト。
【手続補正書】
【提出日】平成15年8月30日(2003.8.30)
【手続補正１】
【補正対象書類名】明細書
【補正対象項目名】請求項２
【補正方法】変更
【補正の内容】
【請求項２】
ネットガードベスト本体（１０）と袋状ネットガード（６）より構成されるネットガードベストであって、
ｅ．伸張度の少ない素材を用い、両足部に足通し孔（８）を設けたネット裏地（７）、ネット裏地（７）を上回る広さであって、容易に劣化・摩耗・変質をきたさない適材を用い、編み目が縦・横２センチメートル、最大伸張度４センチメートルのネット表地（９）により構成される袋状ネットガードであって、ネット表地（９）はネット上部の開口部には、鈎ホック付きの面ファスナー（２）が設けられている袋状ネットガード（６）、ｆ．肩部・腕周り、前・後身頃を厚地に強化され、前身頃両サイドに留め具（１２）付き袋状ネット収納部（１３）が設置され、肩部に車体シートベルトすべり止め（１１）が施され、前記留め具（１２）の袋状ネットガード（６）を連結可能なネットガードベスト本体（１０）以上の構成からなるネットガードベスト。」